(57)【要約】【課題】映像を投射できない状態において利用者に装置の状態を知らせることができる投射型映像表示装置を提供する。【解決手段】投射型映像表示装置１は、予め録音された音声ガイドデータ１２０を使用状態に関連づけて記憶するメモリ１２Ｃと、音声ガイドデータ１２０を再生する音声再生部１２Ｂと、投射することで映像を表示する映像表示部としての光源駆動部１３、光源１４、液晶パネル１５、レンズ１６及び液晶パネル駆動部１７と、映像表示部が映像を投射していない場合に、各部の使用状態を検出するとともに、使用状態に該当する音声ガイドデータ１２０が存在する場合、使用状態に該当する音声ガイドデータ１２０をメモリ１２Ｃから取得して音声再生部１２Ｂにおいて再生させる制御部とを有する。【選択図】図２
2010066776.tif 000002
【特許請求の範囲】
【請求項１】
投射することで映像を表示する映像表示部と、
予め録音された複数言語の音声情報をそれぞれ使用状態に関連づけて記憶する記憶部と、
前記音声情報を再生する音声再生部と、
前記映像表示部、前記記憶部、前記音声再生部及びそれぞれに関連する部分のうち少なくとも１つの使用状態を検出するとともに、前記使用状態に該当する前記音声情報が存在する場合、前記映像表示部が前記映像に重畳して表示するＯＳＤ（Ｏｎ  Ｓｃｒｅｅｎ  Ｄｉｓｐｌａｙ）の言語設定で選択された言語の音声情報を取得し、前記取得した音声情報のうち前記使用状態に該当する前記音声情報を前記音声再生部において再生させる制御部とを有することを特徴とする投射型映像表示装置。
【請求項２】
前記記憶部は、外部から受信した音声情報を前記使用状態と関連づけて記憶することを特徴とする請求項１に記載の投射型映像表示装置。
【請求項３】
前記記憶部は、前記使用状態として前記映像表示部の準備状態に関連づけられた音声情報を記憶することを特徴とする請求項１に記載の投射型映像表示装置。
【請求項４】
前記記憶部は、前記使用状態として前記映像表示部の終了状態に関連づけられた音声情報を記憶することを特徴とする請求項１に記載の投射型映像表示装置。
【請求項５】
前記記憶部は、前記使用状態として前記映像表示部に対する入力信号の有無に関連づけられた音声情報を記憶することを特徴とする請求項１に記載の投射型映像表示装置。
【請求項６】
前記制御部は、前記音声再生部において再生される前記音声情報について、前記使用状態として、前記映像表示部が前記映像を表示していない状態に対応した音声情報を再生させる動作モード、全ての前記音声情報から前記使用状態に対応して再生させる動作モード、又は、前記音声再生部においていずれの前記音声情報も再生させない動作モードのうち、選択されたいずれか１つの動作モードに応じて動作することを特徴とする請求項１に記載の投射型映像表示装置。
【発明の詳細な説明】
【技術分野】
【０００１】
本発明は、投射型映像表示装置に関する。
【背景技術】
【０００２】
従来、プロジェクター等の投射型映像表示装置において、ランプ切れ等の異常状態を検出し、ＬＥＤインジケータの点滅やビープ音の出力等によって利用者に異常状態を知らせるものが知られている。
【０００３】
しかし、従来の投射型映像表示装置によると、利用者に異常状態を知らせることはできるが、異常状態の対処方法や具体的な異常の内容等を知らせることができないという問題がある。
【０００４】
上記問題を解決するものとして、異常状態を検出して音声によって利用者に知らせる投射型映像表示装置が知られている（例えば、特許文献１参照）。
【０００５】
この投射型映像表示装置は、ランプ切れ等の異常状態を検出する検出部と、予め録音された音声情報を再生する音声再生部と、検出部において異常状態を検出した際にその異常状態に応じた音声情報を音声再生部において再生させる制御部とを有し、例えば、ランプ交換の手順を音声によって案内することで、利用者が容易にランプ切れに対応できる。
【先行技術文献】
【特許文献】
【０００６】
【特許文献１】特開２０００−２９２８５７号公報
【発明の概要】
【発明が解決しようとする課題】
【０００７】
しかし、従来の投射型映像表示装置によると、検出部がランプ切れ、ランプの温度異常、冷却ファンの異常等の異常状態を検出し、その異常状態に対応した音声情報を再生することはできるが、故障を伴わない通常使用において映像を投射できない状態、例えば、ランプの点灯準備中や、ランプの消灯後、システム起動中等の状態において利用者に装置の状態を知らせることができないという問題がある。
【０００８】
従って、本発明の目的は、映像を投射できない状態において利用者に装置の状態を知らせることができる投射型映像表示装置を提供することにある。
【課題を解決するための手段】
【０００９】
（１）本発明は上記目的を達成するため、投射することで映像を表示する映像表示部と、予め録音された複数言語の音声情報をそれぞれ使用状態に関連づけて記憶する記憶部と、前記音声情報を再生する音声再生部と、前記映像表示部、前記記憶部、前記音声再生部及びそれぞれに関連する部分のうち少なくとも１つの使用状態を検出するとともに、前記使用状態に該当する前記音声情報が存在する場合、前記映像表示部が前記映像に重畳して表示するＯＳＤ（Ｏｎ  Ｓｃｒｅｅｎ  Ｄｉｓｐｌａｙ）の言語設定で選択された言語の音声情報を取得し、前記取得した音声情報のうち前記使用状態に該当する前記音声情報を前記音声再生部において再生させる制御部とを有することを特徴とする投射型映像表示装置を提供する。
【００１０】
上記した構成によれば、表示部が表示を行っていない場合に、装置の使用状態に応じて音声情報を再生することで、利用者に使用状態を表示することができない場合にも、音声によって使用状態を知らせることができる。
【発明の効果】
【００１１】
本発明によれば、映像を投射できない状態において利用者に装置の状態を知らせることができる。
【図面の簡単な説明】
【００１２】
【図１】本発明の第１の実施の形態に係る投射型映像表示装置の構成例を示す概略図である。
【図２】本発明の第１の実施の形態に係る投射型映像表示装置の構成例を示すブロック図である。
【図３】本発明の第１の実施の形態に係る投射型映像表示装置の音声ガイドデータの内容例を示す概略図である。
【図４】本発明の第１の実施の形態に係る投射型映像表示装置の表示例を示す概略図である。
【図５】本発明の第１の実施の形態に係る投射型映像表示装置の表示例を示す概略図である。
【図６】本発明の第１の実施の形態に係る投射型映像表示装置の表示例を示す概略図である。
【図７】本発明の第１の実施の形態に係る投射型映像表示装置の動作例を示すフローチャートである。
【図８】本発明の第１の実施の形態に係る投射型映像表示装置の動作例を示すフローチャートである。
【図９】本発明の実施の形態に係る投射型映像表示装置及びパーソナルコンピュータの動作例を示すフローチャートである。
【図１０】本発明の実施の形態に係る投射型映像表示装置の動作例を示すフローチャートである。
【発明を実施するための形態】
【００１３】
以下に、本発明の投射型映像表示装置の実施の形態を、図面を参照して詳細に説明する。
【００１４】
〔第１の実施の形態〕
（投射型映像表示装置の構成）
図１は、本発明の第１の実施の形態に係る投射型映像表示装置の構成例を示す概略図である。
【００１５】
この投射型映像表示装置１は、映像信号及び制御信号等を外部に出力するパーソナルコンピュータ（ＰＣ）２と映像信号を伝搬する映像信号ケーブル３及び制御信号等を伝搬するＵＳＢ（Ｕｎｉｖｅｒｓａｌ  Ｓｅｒｉａｌ  Ｂｕｓ）ケーブル４を介して接続されており、ＰＣ２から受信する映像信号を信号処理してレンズ１６投射光を出力し、スクリーン（図示せず）に投射映像を表示する。なお、投射型映像表示装置１とＰＣ２とを接続して制御信号等を伝搬するのはＵＳＢケーブル４の他、ＲＳ２３２Ｃケーブル等を用いてもよく、ネットワークケーブルでルーター等と接続してネットワーク経由でＰＣ２と接続する形態であってもよい。
【００１６】
投射型映像表示装置１は、ＰＣ２から映像信号ケーブル３を介して映像信号が入力される映像信号入力端子１０Ａと、装置の前面に設けられて投射光を出力するレンズ１６と、装置の上面に設けられて装置の状態を知らせるＬＥＤ（Ｌｉｇｈｔ  Ｅｍｉｓｓｉｏｎ  Ｄｉｏｄｅ）インジケータ１９と、複数のスイッチからなり電源投入操作や明るさ調整等の操作を行うための操作部２０と、音声を出力するスピーカ２２と、ＵＳＢケーブル４を介してＵＳＢ端子２５Ａとを有する。
【００１７】
図２は、本発明の第１の実施の形態に係る投射型映像表示装置の構成例を示すブロック図である。
【００１８】
投射型映像表示装置１は、映像信号入力端子１０Ａを介して映像信号を入力する映像信号入力部１０と、映像信号入力部１０から入力される映像信号を投射映像に変換処理する信号処理部１１と、各部を制御する制御部１２とを有する。
【００１９】
また、投射型映像表示装置１は、映像表示部として、光源１４の始動動作、終了動作、及び駆動動作を制御する光源駆動部１３と、水銀ランプ、ＬＥＤ、又はレーザー等である光源１４と、光源１４から放射された光を透過させて投射光を生成する液晶パネル１５と、投射光の焦点を調整する焦点調整機構部を有したレンズ１６と、液晶パネル１５の表示制御を行う液晶パネル駆動部１７とを有する。なお、映像表示部として液晶パネル１５を用いたもの以外に、ＤＭＤ（Ｄｉｇｉｔａｌ  Ｍｉｃｒｏｍｉｒｒｏｒ  Ｄｅｖｉｃｅ）を用いたＤＬＰ（Ｄｉｇｉｔａｌ  Ｌｉｇｈｔ  Ｐｒｏｃｃｅｓｓｉｎｇ）プロジェクタの方式を用いてもよい。
【００２０】
また、投射型映像表示装置１は、本体内に複数設置されて温度を測定する温度センサ１８と、点灯によって光源１４のランプ切れ、温度異常、スタンバイ状態を知らせるＬＥＤインジケータ１９と、複数のスイッチからなり各操作に対して操作信号を出力する操作部２０とを有する。
【００２１】
また、投射型映像表示装置１は、音声信号を増幅する等の制御を行う音声処理部２１と、音声を出力するスピーカ２２と、制御部１２に制御されてファン２４を駆動するファン駆動部２３と、本体内に複数設置されるファン２４と、ＵＳＢ端子２５Ａを介してＰＣ２に対する情報を入出力するＵＳＢインターフェース２５と、各部に対して電力を供給する電源部２６とを有する。
【００２２】
制御部１２は、投射光の出力動作を制御するプロジェクタ制御部１２Ａと、各部の状態を検出して状態に応じて音声データをデコードして再生する音声再生部１２Ｂと、音声ガイドデータ１２０及びユーザー音声ガイドデータ１２０Ａを格納する記憶部としての不揮発性のメモリ１２Ｃとを有する。音声ガイドデータ１２０は、各部の状態に対応させた複数の言語の音声データを有する。ユーザー音声ガイドデータ１２０Ａは、利用者によって登録される音声データである。
【００２３】
図３は、本発明の第１の実施の形態に係る投射型映像表示装置の音声ガイドデータの内容例を示す概略図である。
【００２４】
音声ガイドデータ１２０は、任意の数字が付与された音声ガイド番号と、音声再生部１２Ｂによって検出される各部の状態と、日本語や英語等の各言語における音声データを有する。ここで、音声データは、その内容を文字によって表記しているが、実際はｗａｖやＭＰ３等のフォーマットで保存された音声データである。
【００２５】
音声ガイド番号「１」及び「２」は、投射型映像表示装置１が電源投入直後であり、映像投射の準備をする準備状態で出力される音声データである。つまり、視覚的に利用者に情報を啓示できない状態である。
【００２６】
音声ガイド番号「１」は、投射型映像表示装置１の電源投入時にランプが暖まっており、再点灯のために冷却時間が必要な状態おいて使用され、「ランプ再点灯中です。しばらくお待ちください」という内容の音声データが再生される。
【００２７】
音声ガイド番号「２」は、投射型映像表示装置１の電源投入時であって、ランプを暖めている状態おいて使用され、「電源が入ります」という内容の音声データが再生される。
【００２８】
また、音声ガイド番号「３」及び「４」は、使用をやめて映像の投射を終了した終了状態で出力される音声データである。つまり、視覚的に利用者に情報を啓示できない状態である
【００２９】
音声ガイド番号「３」は、投射型映像表示装置１の電源を切断した状態おいて使用され、「電源が切れました」という内容の音声データが再生される。
【００３０】
音声ガイド番号「４」は、投射型映像表示装置１に対する入力信号が所定の時間、例えば、２０秒間無い状態おいて使用され、「すべての入力に信号がありません」という内容の音声データが再生される。
【００３１】
また、音声ガイド番号「５」及び「６」は、投射型映像表示装置１が映像を正常に投射できない状態で出力される音声データである。つまり、視覚的に利用者に情報を啓示できない状態であり、投射型映像表示装置１に異常が発生した場合である
【００３２】
音声ガイド番号「５」は、ランプ交換が必要な状態おいて使用され、「ランプが寿命です。交換してください」という内容の音声データが再生される。
【００３３】
音声ガイド番号「６」は、投射型映像表示装置１の各部の温度が異常である状態おいて使用され、「本体温度が異常です。取扱説明書をご覧ください」という内容の音声データが再生される。
【００３４】
また、音声ガイド番号「７」〜「１４」は、使用中であって映像を投射中の状態で出力される音声データ又はＯＳＤ（Ｏｎ  Ｓｃｒｅｅｎ  Ｄｉｓｐｌａｙ、後述）に対応した音声データである。
【００３５】
音声ガイド番号「７」〜「９」、「１１」、及び「１３」は、ＯＳＤに対して操作がなされた反応として使用され、音声ガイド番号「１０」、「１２」、及び「１４」は、表示されるＯＳＤに応じて出力される音声データである。なお、図３に示した音声ガイドデータ１２０は、一例であり、その他の状態、及び内容を設定してもよい。
【００３６】
図４は、本発明の第１の実施の形態に係る投射型映像表示装置の表示例を示す概略図である。
【００３７】
図４において、言語設定表示１６０は、プロジェクタ制御部１２Ａによって投射映像上に重畳して表示されるＯＳＤの一例であり、ＯＳＤ上において使用される言語を選択するためのメニューである。また、言語設定表示１６０は、投射型映像表示装置１の初回起動時及び利用者によって言語設定変更の操作入力があった場合に表示される。
【００３８】
通常は、ＯＳＤで使用する言語と音声ガイドの言語は同一である方が都合がよいケースが多いため、言語設定表示１６０でＯＳＤの使用言語を設定すると、これに連動して音声ガイドで使用される言語も一緒に設定されるようにしている。なお、ＯＳＤの使用言語と音声ガイドの使用言語をそれぞれ異なる言語で設定できるようにしてもよい。
【００３９】
また、言語設定表示１６０は、各言語を選択するためのプルダウン式のメニュー１６０ａを有する。メニュー１６０ａによってＯＳＤ上における使用言語、例えば、「日本語」、「Ｅｎｇｌｉｓｈ」、「Ｆｒｅｎｃｈ」、「Ｇｅｒｍａｎ」、「Ｉｔａｒｉａｎ」、「Ｓｐａｎｉｓｈ」…とともに、音声ガイドにおける使用言語を選択する。なお、選択された設定は、メモリ１２Ｃ上に保存される（図示せず）。
【００４０】
図５は、本発明の第１の実施の形態に係る投射型映像表示装置の表示例を示す概略図である。
【００４１】
音量設定表示１６１は、音声再生部１２Ｂによって投射映像上に表示されるＯＳＤであって、音量設定を手動で設定するための「マニュアル」のメニュー１６１ａと、音量設定を自動で設定するための「オート」のメニュー１６１ｂと、音量を自動で設定する際に「天吊りモードにシンク」させるためのメニュー１６１ｃとを有する。なお、選択された設定は、メモリ１２Ｃ上に保存される（図示せず）。
【００４２】
ここで、オートとは、ファン駆動部２３の駆動状態によって音量を変化させる設定であり、ファンが駆動していない場合は音量を小に、ファンが駆動している場合は駆動レベルに比例して音量を大にする。なお、ファン駆動部２３の駆動状態の他、マイク等を追加で設置して周囲の雑音に応じて音量を変化させる設定としてもよい。
【００４３】
また、天吊りモードとは、投射型映像表示装置１を天井に逆さまに吊り下げて投射映像を１８０°回転させて表示する動作モードを差す。天吊りモードにおいては、投射型映像表示装置１と利用者との距離が離れるため、一例として、通常のオートに設定されている場合よりも音量を大きくする。
【００４４】
図６は、本発明の第１の実施の形態に係る投射型映像表示装置の表示例を示す概略図である。
【００４５】
音声ガイド設定表示１６２は、音声再生部１２Ｂによって投射映像上に表示されるＯＳＤであって、音声ガイドを使用する条件を選択するためのメニュー１６２ａを有する。「非表示時に使用」の場合は、投射映像が表示されておらず、利用者に対して視覚的に情報を啓示できない場合に音声ガイドを再生し（音声ガイド番号「１」〜「４」、及び「５」〜「６」）、「ＯＦＦ」の場合は、音声ガイドを使用しない。また、「常に使用」の場合は、上記した非表示時（音声ガイド番号「１」〜「６」）に加えて、投射映像が表示されており、利用者に対して視覚的に情報を啓示できる場合にも利用者に対して音声ガイドを再生し（音声ガイド番号「７」〜「１４」）、利用者の操作をガイドする。なお、選択された設定は、音声再生設定としてメモリ１２Ｃ上に保存される（図示せず）。
【００４６】
（動作）
以下に、本発明の第１の実施の形態における投射型映像表示装置の動作を各図を参照しつつ説明する。
【００４７】
図７は、本発明の第１の実施の形態に係る投射型映像表示装置の動作例を示すフローチャートである。
【００４８】
まず、音声再生部１２Ｂは、各部の状態を監視し、音声ガイドデータ１２０の状態に該当する状態を検出すると（Ｓ１；Ｙｅｓ）、該当する音声ガイド番号を取得する（Ｓ２）。
【００４９】
次に、音声再生部１２Ｂは、メモリ１２Ｃにアクセスして言語設定（Ｓ３）、及び音量設定を確認し（Ｓ４）、選択されている言語の該当する音声ガイド番号の音声ガイドデータを、設定されている音量設定に基づいて再生する（Ｓ５）。
【００５０】
図８は、本発明の第１の実施の形態に係る投射型映像表示装置の動作例を示すフローチャートであり、図７のステップＳ４及びＳ５の動作を詳細に説明したものである。
【００５１】
音声再生部１２Ｂは、メモリ１２Ｃにアクセスして音量設定を確認し、音量設定がオートであった場合（Ｓ１１；Ｙｅｓ）、ファン駆動部２３のファン駆動レベルに基づいて音量を決定する（Ｓ１２）。
【００５２】
次に、天吊りモードにシンクが設定されている場合（Ｓ１３；Ｙｅｓ）、オートで設定した音量から所定の値だけ、例えば、１０ｄＢだけ、音量を大きくする（Ｓ１４）。天吊りモードにシンクが設定されていない場合は（Ｓ１３；Ｎｏ）、オートで設定した音量で音声ガイドデータを再生する。
【００５３】
また、音量設定がマニュアルであった場合（Ｓ１１；Ｎｏ）、利用者が設定した音量で音声ガイドデータを再生する（Ｓ１５）。
【００５４】
（第１の実施の形態の効果）
上記した実施の形態によると、音声ガイド設定においてＯＦＦ以外の設定とすることで、少なくとも映像を投射できない状態において音声ガイドによって利用者に装置の状態又は操作方法等を知らせることができる。
【００５５】
また、音量設定をオートに設定することでファン等による騒音、及び天吊りモードを考慮した音量設定が可能となる。
【００５６】
〔第２の実施の形態〕
図９は、本発明の実施の形態に係る投射型映像表示装置及びパーソナルコンピュータの動作例を示すフローチャートである。なお、以下の説明において、第１の実施の形態と同一の構成、及び機能を有する部分については共通の符号を付している。
【００５７】
まず、ＰＣ２においてサンプリングデータを作成し、作成したサンプリングデータを投射型映像表示装置１にユーザー音声ガイドデータとして登録するための要望を示す音声ガイドデータ登録コマンドを、ＵＳＢケーブル４を介して投射型映像表示装置１に送信する（Ｓ２１）。
【００５８】
なお、サンプリングデータは、ＰＣ２の内蔵マイクや外付けマイク等を用いて利用者の声を録音して作成してもよいし、既成のｗａｖやＭＰ３等のデータを編集して作成してもよい。また、サンプリングデータをユーザー音声ガイドデータとして登録する際、再生のタイミングを定義するため、音声ガイド番号（図３の音声ガイドデータ１２０）を指定する必要がある。
【００５９】
次に、投射型映像表示装置１は、音声ガイドデータ登録コマンドを受信し（Ｓ２２）、音声ガイドデータ登録を許可する旨をコマンド応答としてＰＣ２に送信する（Ｓ２３）。
【００６０】
次に、ＰＣ２は、コマンド応答を受信すると（Ｓ２４）、音声ガイド番号を対応付けたサンプリングデータを投射型映像表示装置１に対して送信する（Ｓ２５）。
【００６１】
次に、投射型映像表示装置１は、音声ガイド番号とサンプリングデータとを受信し（Ｓ２６）、メモリ１２Ｃにサンプリングデータをユーザー音声ガイドデータ１２０Ａとして書き込み処理する（Ｓ２７）。なお、音声ガイドデータ１２０とユーザー音声ガイドデータ１２０Ａは、異なる記憶領域に対して書き込み処理されるため、ユーザー音声ガイドデータ１２０Ａの書き込みによって音声ガイドデータ１２０が上書きされることはない。
【００６２】
次に、書き込んだユーザー音声ガイド１２０Ａを使用するためにユーザー音声登録フラグ１２０ＢをＯＮにし（Ｓ２８）、ＰＣ２に対して登録終了を示すコマンド終了通知を送信する（Ｓ２９）。
【００６３】
ＰＣ２は、コマンド終了通知を受信し（Ｓ３０）、音声ガイドデータ登録動作を終了する。
【００６４】
図１０は、本発明の実施の形態に係る投射型映像表示装置の動作例を示すフローチャートである。
【００６５】
まず、音声再生部１２Ｂは、各部の状態を監視し、音声ガイドデータ１２０の状態に該当する状態を検出すると（Ｓ４１；Ｙｅｓ）、該当する音声ガイド番号を取得する（Ｓ４２）。
【００６６】
次に、音声再生部１２Ｂは、メモリ１２Ｃにアクセスしてユーザー音声登録フラグ１２０ＢがＯＮになっているか確認し（Ｓ４３）、ＯＮの場合（Ｓ４３；Ｙｅｓ）、ユーザー音声ガイド１２０Ａを取得し（Ｓ４４）、該当する音声ガイド番号の音声ガイド情報を、設定されている音量設定に基づいて再生する（Ｓ４５）。また、ＯＦＦの場合（Ｓ４３；Ｎｏ）、内蔵されている音声ガイドデータ１２０を取得して（Ｓ４６）、該当する音声ガイド番号の音声ガイド情報を、設定されている音量設定に基づいて再生する（Ｓ４５）。
【００６７】
（第２の実施の形態の効果）
上記した実施の形態によると、ＰＣ２からサンプルデータを投射型映像表示装置１に登録することで所望のサンプルデータを音声ガイド情報として使用することができ、少なくとも映像を投射できない状態においてユーザー音声ガイド１２０Ａによって利用者に装置の状態又は操作方法等を知らせることができる。
【００６８】
なお、上記実施の形態では、対応可能な全ての言語に関する音声ガイドデータ１２０をメモリ１２Ｃに保存して、使用する音声ガイドデータを選択していたがこれに限らない。例えば、ＣＤ−ＲＯＭ等の記録媒体に、対応可能な各言語の音声ガイドデータを記録しておき、このＣＤ−ＲＯＭ等の記録媒体からＰＣ２を使用して、所望の言語の音声ガイドデータを登録する構成としてもよい。この場合、登録する音声ガイドデータは、複数であってもよい。これにより、予め全ての言語の音声ガイドデータを登録しておくよりも、音声ガイドデータの保存に要するメモリ１２Ｃの容量を減少させることができる。
【００６９】
また、ユーザー音声ガイドデータ１２０Ａとしてガイド音声の他、楽曲や効果音等のサンプリングデータを設定できるようにしてもよい。また、音声ガイドデータ１２０又はユーザー音声ガイドデータ１２０Ａと連動して表示される映像、例えば、会社のロゴやイラスト等の画像データを登録できる構成としてもよい。この場合、登録するデータは、音声ガイド番号と対応させて登録しておくことにより、音声ガイドと一緒に、楽曲や効果音等の音声や画像データを出力することができる。
【符号の説明】
【００７０】
１…投射型映像表示装置、２…パーソナルコンピュータ（ＰＣ）、３…映像信号ケーブル、４…ＵＳＢケーブル、１０Ａ…映像信号入力端子、１０…映像信号入力部、１１…信号処理部、１２…制御部、１２Ａ…プロジェクタ制御部、１２Ｂ…音声再生部、１２Ｃ…メモリ、１３…光源駆動部、１４…光源、１５…液晶パネル、１６…レンズ、１７…液晶パネル駆動部、１８…温度センサ、１９…インジケータ、２０…操作部、２１…音声処理部、２２…スピーカ、２３…ファン駆動部、２４…ファン、２５…ＵＳＢインターフェース、２５Ａ…ＵＳＢ端子、２６…電源部、１２０…音声ガイドデータ、１６０…言語設定表示、１６０ａ…メニュー、１６１…音量設定表示、１６１ａ…メニュー、１６１ｂ…メニュー、１６１ｃ…メニュー、１６２…音声ガイド設定表示、１６２ａ…メニュー
【図１】
2010066776.tif 000003
【図２】
2010066776.tif 000004
【図３】
2010066776.tif 000005
【図４】
2010066776.tif 000006
【図５】
2010066776.tif 000007
【図６】
2010066776.tif 000008
【図７】
2010066776.tif 000009
【図８】
2010066776.tif 000010
【図９】
2010066776.tif 000011
【図１０】
2010066776.tif 000012